(57)【要約】【課題】壁掛製品を持ち上げることなく容易に施工することが可能となり、床面の傷つきを抑制することができる壁掛製品の梱包容器を提供する。【解決手段】後面を建築物の壁面に当接させて取付固定される壁掛製品を収容し、少なくとも前記壁掛製品の底面を覆う底面部を有する梱包箱と、前記梱包箱内の前記底面部に載置されるトレイと、を備えた壁掛製品の梱包容器であって、前記トレイは、前記建築物の床面に対する前記壁掛製品の取付高さに整合するように、前記梱包箱の底面部に対し前記壁掛製品を上方に離間させて支持する。【選択図】  図５
2010111428.tif 000002
【特許請求の範囲】
【請求項１】
後面を建築物の壁面に当接させて取付固定される壁掛製品を収容し、少なくとも前記壁掛製品の底面を覆う底面部を有する梱包箱と、
前記梱包箱内の前記底面部に載置されるトレイと、
を備えた壁掛製品の梱包容器であって、
前記トレイは、前記建築物の床面に対する前記壁掛製品の取付高さに整合するように、前記梱包箱の底面部に対し前記壁掛製品を上方に離間させて支持することを特徴とする壁掛製品の梱包容器。
【請求項２】
前記トレイは、前記トレイに対する前記壁掛製品の前方及び左右方向への移動を規制する一方、前記壁掛製品に対し前記トレイを前方へ移動させることで前記トレイによる前記壁掛製品の支持が解除可能となるように構成され、
前記梱包箱は、前記壁掛製品の前記後面を覆う後面部を有し、
前記壁掛製品の前記後面と前記梱包箱の前記後面部との間に着脱自在に挿入されるスペーサと、前記トレイとで、前記梱包箱内における前記壁掛製品の前後方向及び左右方向への移動を規制することを特徴とする請求項１記載の壁掛製品の梱包容器。
【請求項３】
前記梱包箱の底面部及び後面部は、折曲された１枚の段ボール板で形成されていることを特徴とする請求項２記載の壁掛製品の梱包容器。
【発明の詳細な説明】
【技術分野】
【０００１】
本発明は、建築物の壁面に後面を当接させて取付固定される壁掛製品の梱包容器に関する。
【背景技術】
【０００２】
建築物の壁面に後面を当接させて取付固定される壁掛製品としては、例えば、便器や手洗いボウル、壁掛け式カウンターや壁掛け式の棚をはじめとした各種のものがある。例えば、壁掛け式便器の施工方法において、壁掛け式便器を輸送等する際に用いられる梱包材を利用して施工を行うものが知られている。具体的には、梱包材のうち壁掛け式便器の上面に被せられる上部梱包材の高さを、予め壁面に固設された取付ボルトの床面からの高さに対応させた寸法に設定しておく。そして、現場において取付ボルトに壁掛け式便器を取付ける際に、上部梱包材上に壁掛け式便器を載せて支持させた状態で施工を行うものである。すなわち、載置状態で、上部梱包材とともに壁掛け式便器を壁面側に移動させれば、取り付けボルトがボルト孔に挿通されるよう構成されている。これにより、壁掛け式便器のボルト孔に取付ボルトを挿通させる作業時に、施工者が壁掛け式便器を持ち上げ続ける必要がない。（特許文献１）
【特許文献１】特開平８−４１９５４号公報
【発明の開示】
【発明が解決しようとする課題】
【０００３】
ところが、特許文献１に開示された壁掛け式便器の施工方法では、梱包材の開梱後、上部梱包材の上に壁掛け式便器を載せるために、施工者が壁掛け式便器を持ち上げる作業が必要となる。陶器で形成される便器は特に重量が大きく、その際に施工者が腰を痛めることがあった。
また、上部梱包材、及び、上部梱包材に載置された壁掛け式便器を持ち上げることなく壁面まで移動させることで、上部梱包材によって床面をこすり、傷つけるというおそれがあった。
【０００４】
本発明はかかる課題の認識に基づいてなされたものであり、壁掛製品を持ち上げることなく容易に施工することが可能となり、床面の傷つきを抑制することができる壁掛製品の梱包容器を提供することを目的とする。
【課題を解決するための手段】
【０００５】
上記課題を解決するために、本発明に係る壁掛製品の梱包容器は、後面を建築物の壁面に当接させて取付固定される壁掛製品を収容し、少なくとも前記壁掛製品の底面を覆う底面部を有する梱包箱と、前記梱包箱内の前記底面部に載置されるトレイと、を備えた壁掛製品の梱包容器であって、前記トレイは、前記建築物の床面に対する前記壁掛製品の取付高さに整合するように、前記梱包箱の底面部に対し前記壁掛製品を上方に離間させて支持することを特徴とする。
【０００６】
本発明によれば、施工時に梱包容器を開梱すると、壁掛製品はトレイによって建築物の床面に対する前記壁掛製品の取付高さに整合するよう支持されている。したがって、建築物の床面に対し、トレイごと壁掛製品をスライドさせて壁掛製品の後面が建築物の壁面に当接するまで移動させることで、施工を行うことができる。すなわち、梱包容器が架台となるため、壁掛製品を持ち上げることなく施工を行うことが可能となり、施工性が向上する。
また、トレイは梱包箱内の底面部に載置され、開梱後、トレイは梱包箱内の底面部上をスライドするため、建築物の床面を傷つきを抑制することができる。
【０００７】
本発明の好ましい形態では、前記トレイは、前記トレイに対する前記壁掛製品の前方及び左右方向への移動を規制する一方、前記トレイに対し前記壁掛製品を後方へ移動させることで前記トレイによる支持が解除可能となるように構成され、前記梱包箱は、前記壁掛製品の前記後面を覆う後面部を有し、前記壁掛製品の前記後面と前記梱包箱の前記後面部との間に着脱自在に挿入されるスペーサと、前記トレイとで、前記梱包箱内における前記壁掛製品の前後方向及び左右方向への移動を規制する。
【０００８】
本発明によれば、トレイは壁掛製品に対し前方へ移動させることでトレイの支持が解除可能となるように構成されているため、壁掛製品の後面を建築物の壁面に当接させて取付固定した後、トレイを壁掛製品の前方に引き抜くことで、トレイを容易に取り除くことができる。一方、壁掛製品の後面と梱包箱の後面部との間にはスペーサが挿入され、梱包箱内では壁掛製品の移動が規制されることから、移送時に壁掛製品が梱包箱内で移動して破損する事態を防止することができる。すなわち本発明では、移送時の破損防止と施工後のトレイの容易な取り外しを両立させることができる。
【０００９】
本発明の好ましい形態では、前記梱包箱の底面部及び後面部は、折曲された１枚の段ボール板で形成されている。
【００１０】
本発明によれば、梱包箱の開梱後、折曲された底面部及び後面部を展開することで、壁掛製品後方の建築物の床面上に段ボールを敷設した状態とすることができる。したがって、トレイごと壁掛製品をスライドさせ、壁掛製品の後面が建築物の壁面に当接するまで移動させる際は、トレイは底面部及び後面部の上をスライドすることとなるため、スライドによる建築物の床面の傷つきをさらに抑制することができる。
【発明の効果】
【００１１】
本発明によれば、壁掛製品を持ち上げることなく容易に施工することが可能となり、床面の傷つきを抑制することができる壁掛製品の梱包容器を提供することを目的とする。
【発明を実施するための最良の形態】
【００１２】
以下、図面を参照しつつ本発明の実施形態について説明する。
図１は、壁掛式便器装置の取付を表す模式図である。
【００１３】
壁掛式便器装置１０は、陶器で形成される大便器（腰掛便器）２００と、その上面に載置される衛生洗浄装置１００と、から構成される。衛生洗浄装置１００は、着座した使用者に対し水を吐出し、「おしり」などを洗浄可能とされている。なお、衛生洗浄装置１００は、必ずしも設けなくてもよい。
【００１４】
壁掛式便器装置１０は、大便器２００の後面を建築物の壁面Ｗに当接させて取付固定される。壁面Ｗには、壁面Ｗ裏に配設された給水配管に連通し、大便器２００に水を供給する給水口３０１と、壁面Ｗ裏に配設された排水管に連通し、大便器２００から排出される汚水を排水管へと導く排水口３０２と、衛生洗浄装置１００に駆動電力を供給ための電源口３０３と、が設けられている。さらに、壁面Ｗには、壁掛式便器装置１０を取付固定するための２本のボルト３０４が離間して固定されている。２本のボルト３０４は、いずれも建築物の床面Ｆより高さＨ１の位置で壁面Ｗに固定されている。大便器２００の後方側面に凹設された凹部２１０の内部には、ボルト３０４の間隔に対応させた２つの取付孔２２０が設けられている。大便器２００の後面を壁面Ｗに当接させ、取付孔２２０に挿通されて凹部２１０内に臨出したボルト３０４に図示しないナットを締結することにより、壁掛式便器装置１０の前端下面２３０が床面ＦからＨ２だけ浮いた状態で壁面Ｗに対し取付固定される。
【００１５】
次に、壁掛式便器装置１０を収容する梱包容器について説明する。
図２は、本発明の実施形態に係る梱包容器の模式図であり、図３（ａ）及び（ｂ）は、本発明の実施形態に係る梱包容器の展開図であり、図３（ｃ）は、トレイ５００の斜視図である。
【００１６】
図２に表すように、梱包容器４００は、その内部に壁掛式便器装置１０を収容する箱体（梱包箱）４１０と、箱体４１０に着脱される蓋体４２０と、を有する。箱体４１０は壁掛式便器装置１０の底面、左側面、前面、後面と、右側面及び上面の一部をそれぞれ覆う箱体底面部４１１、箱体左側面部４１２、箱体前面部４１３、箱体後面部４１４、箱体右側面部４１５、箱体上面部４１６を有する。また、箱体４１０が開放する壁掛式便器装置１０の右側面と上面は、蓋体４２０の蓋体右側面部４２１と蓋体上面部４２２によってそれぞれ覆われる。箱体４１０及び蓋体４２０は、それぞれ１枚の段ボール板を折曲して形成され、粘着テープ等で結合されて一体となり、壁掛式便器装置１０の周囲を覆って壁掛式便器装置１０を移送時の衝撃や傷つきなどから守る。
【００１７】
図３（ａ）及び（ｂ）に表すように、箱体４１０を展開すると、箱体底面部４１１との間で折曲されていた箱体左側面部４１２、箱体前面部４１３、箱体後面部４１４、箱体右側面部４１５、箱体上面部４１６が箱体底面部４１１の周囲に広がり、床面Ｆ上に１枚の段ボール板が敷設された状態となる。箱体底面部４１１上には、底が平坦で浅い容器状のトレイ５００が載置されており、トレイ５００は壁掛式便器装置１０を下方から支持している。
【００１８】
図３（ｃ）に表したように、トレイ５００は、トレイ底面部５１０と、トレイ底面部５１０の外縁に立設する外枠部５２０と、外枠部５２０内に配置されて十字に仕切る仕切５３０と、を有する。仕切５３０は、それぞれ段ボール板を複数貼り合わせて形成された縦仕切５４０、横仕切５５０を嵌め合わせて構成されている。縦仕切５４０の前方上面５４１及び横仕切５５０の上面５５１は、いずれも略水平で、床面Ｆからの高さがＨ２となるように形成されている。縦仕切５４０の前方上面５４１の端部には、前方押さえ片５４２が上方に向け突設されている。また、横仕切５５０の上面５５１の左右両端部には、左方押さえ片５５２、右方押さえ片５５３がやはり上方に向け突設されている。
【００１９】
横仕切５５０の左右中央部には、下方に湾曲して凹設された第一切欠部５５４が形成されている。また縦仕切５４０の後方上面５４３は、横仕切５５０の第一切欠部５５４の下端と略同一高さとされている。さらに、外枠部５２０の後端には、下端が縦仕切５４０の後方上面５４３と同一高さとなるよう凹設された第二切欠部５４４が形成されており、第二切欠部５４４の後方には、後に詳述する逆Ｖ字形状のスペーサ６００が配置されている。
【００２０】
次に、梱包容器４００による壁掛式便器装置１０の収容と、壁面Ｗへの施工方法について説明する。
図４は、本発明の実施形態に係る梱包容器による壁掛式便器装置１０の収容を表す模式図であり、図４（ａ）は図３（ｃ）におけるＡ−Ａ断面を表し、図４（ｂ）は図３（ｃ）におけるＢ−Ｂ断面を表す。
また、図５は、壁掛式便器装置１０の壁面Ｗへの施工方法を示す模式図であり、図５（ａ）は壁掛式便器装置１０を壁面Ｗまで移動させている状態を表し、図５（ｂ）は壁掛式便器装置１０を壁面Ｗに取付けた後、トレイ５００による支持を解除している状態を表す。
【００２１】
図４に表すように、トレイ５００によって壁掛式便器装置１０が支持された状態では、大便器２００の前端下面２３０が縦仕切５４０の前方上面５４１で支持されるとともに、側端下面２４０が横仕切５５０の上面５５１で支持される。また、大便器２００のトラップ部２５０が横仕切５５０の第一切欠部５５４内に嵌入するとともに、後端下部２６０が第二切欠部５４４内に嵌入して支持される。これにより、大便器２００は、前端下部２３０が床面Ｆから高さＨ２だけ上方で、後面２７０が垂直となるよう、トレイ５００によって支持される。壁掛式便器装置１０は、トレイ５００の前方押さえ片５４２、左方押さえ片５５２、右方押さえ片５５３により、トレイ５００に対する前方及び左右方向への移動が規制される。一方、トレイ５００に対する後方へは、大便器２００が仕切５３０上をスライドして移動可能とされている。
【００２２】
トレイ５００は、その前面と左右両側面が、それぞれ箱体４１０の箱体前面部４１３、箱体左側面部４１２、箱体右側面部４１５に当接するよう箱体底面部４１１に載置される。これにより、箱体４１０に対するトレイ５００の前方及び左右方向への移動が規制される。また、このトレイ５００によって下方から支持されることにより、壁掛式便器装置１０は、箱体４１０及び蓋体４２０内で隙間ＣＬを形成して配置される。
【００２３】
この隙間ＣＬのうち、大便器２００の後端下部２６０及びトレイ５００の後端部５２１と、箱体４１０の箱体後面部４１４との間を埋めるように、スペーサ６００が着脱自在に配置されている。このスペーサ６００により、トレイ５００及び壁掛式便器装置１０は、箱体４１０に対する後方への移動が規制される。また、上述したように、壁掛式便器装置１０はトレイ５００に対し前方及び左右方向への移動が規制されているため、スペーサ６００によってさらに後方への移動が規制されることで、梱包容器４００に対する壁掛式便器装置１０の前後方向及び左右方向への移動が規制される。したがって、移送する際などにも梱包容器４００内で壁掛式便器装置１０がしっかりと固定され、壁掛式便器装置１０の破損が防止される。
【００２４】
図５（ａ）に表すように、大便器２００の後面２７０を壁面Ｗに向けた状態で梱包容器４００を開梱すると、大便器２００の取付孔２２０の床面Ｆからの高さは、壁面Ｗに固定されているボルト３０４の床面Ｆからの高さ同じＨ１となるよう設定されている。すなわち、トレイ５００は、壁掛式便器装置１０をボルト３０４に対応する取付け高さに支持する架台の役目を果たしている。したがって、施工者は重量の大きい壁掛式便器装置１０を持ち上げることなく、トレイ５００に矢印Ｓ１のように後方へ力を作用させて、トレイ５００ごと壁掛式便器装置１０をスライドさせることで、大便器２００の後面２７０を壁面Ｗに当接させるとともに、取付孔２２０にボルト３０４を挿通させることができる。
【００２５】
また、箱体４１０を展開することで、トレイ５００が載置される箱体底面部４１１と壁面Ｗとの間の床面Ｆ上には、壁掛式便器装置１０の後面を覆っていた箱体４１０の箱体後面部４１４が敷設される。したがって、トレイ５００は、床面Ｆ上に敷設された段ボール板である箱体底面部４１１及び箱体後面部４１４上をスライドするため、比較的小さな力でスライドさせることができる。また、ダンボール板である箱体底面部４１１及び箱体後面部４１４により床面Ｆを保護できるので、トレイ５００によって床面Ｆをこすり、傷つけることが無い。
【００２６】
大便器２００の凹部２１０内（図１参照）に臨出させたボルト３０４に、図示しないナットを締結することで、壁掛式便器装置１０は壁面Ｗに対し取付固定される（図５（ｂ））。取付固定後、矢印Ｓ２で表すように力を作用させ、トレイ５００を前方へ移動（相対的に壁掛式便器装置１０はトレイ５００の後方へ移動）させることで、トレイ５００による壁掛式便器装置１０の支持を解除することができる。そして、トレイ５００及び箱体４１０を大便器２００の下方から引き出して取り除くことで、施工が完了する。この際にも、ダンボール板である箱体底面部４１１及び箱体後面部４１４により床面Ｆを保護できるので、トレイ５００によって床面Ｆをこすり、傷つけることが無い。
【００２７】
以上、具体例を参照しつつ、本発明の実施の形態について説明した。しかし、本発明は、これらの具体例に限定されるものではない。例えば、壁掛製品は、大便器２００に限定されるものではなく、その他各種の壁掛製品について適用したものも本発明の範囲に包含される。また、本発明の壁掛製品の梱包容器に含まれる各要素については、当業者が適宜設計変更することにより本発明を同様に実施し、同様の効果を得ることができるものも本発明の要旨を含む限り、本発明の範囲に包含される。
【図面の簡単な説明】
【００２８】
【図１】壁掛式便器装置の取付を表す模式図である。
【図２】本発明の実施形態に係る梱包容器の模式図である。
【図３】本発明の実施形態に係る梱包容器の展開図である。
【図４】本発明の実施形態に係る梱包容器による壁掛式便器装置１０の収容を表す模式図である。
【図５】壁掛式便器装置１０の壁面Ｗへの施工方法を示す模式図である。
【符号の説明】
【００２９】
１０ 壁掛式便器装置、１００ 衛生洗浄装置、２００ 大便器、３０１ 給水口、３０４  ボルト、４００ 梱包容器、４１０ 箱体、４１１ 底面部、４１４ 後面部、４２０ 蓋体、５００ トレイ、６００ スペーサ、Ｗ （建築物の）壁面、Ｆ （建築物の）床面
【図１】
2010111428.tif 000003
【図２】
2010111428.tif 000004
【図３】
2010111428.tif 000005
【図４】
2010111428.tif 000006
【図５】
2010111428.tif 000007